(57)【要約】【課題】駆動装置による高密度記録光ディスクの駆動信頼性を向上させるフォーマット構成を提供する。【解決手段】光ディスク１００は、主データのクロックウィンドウのジッタマージン代を使用して、副次データを記録する。第１の区間において、主データは基準位相配置にある基準クロックによって記録される。第１の区間に続く第２の区間においては、主データは基準位相配置から所定量位相がずれた基準クロックによって記録される。第２の期間に続く第３の期間においては、主データは基準位相配置にある基準クロックによって記録される。例えば、基準位相配置にある区間を副次データの“０”に対応させ、位相がずれた基準クロックを有する区間を副次データの“１”に対応させる。これにより、主データと同時に、管理情報などを副次データとして光ディスクに記録することができる。【選択図】　図２
2004127417.tif 000002
【特許請求の範囲】
【請求項１】
複数の区間に区分されたデータ記録領域に、基準クロックに基づいて主データが記録された記録媒体であって、
前記基準クロックの基準位相配置において主データが記録された第１の区間と、
前記第１の区間とは異なる位相配置で、前記基準クロックに基づいて主データが記録された第２の区間と、
を備えた記録媒体。
【請求項２】
前記第１の区間と第２の区間の位相ずれ量は、予め定められた範囲である、請求項１に記載の記録媒体。
【請求項３】
前記データ記録領域は、複数の第２の区間を有し、
前記複数の第２の区間の各々は、前記基準位相配置に対して、遅れた位相ずれ量もしくは進んだ位相ずれ量を有している、請求項２に記載の記録媒体。
【請求項４】
前記第１の区間と第２の区間の位相ずれ量は、前記基準クロック周期の５〜１５％である、請求項２に記載の記録媒体。
【請求項５】
前記第１の区間と第２の区間の位相ずれ量は、前記記録媒体の再生基準クロックィンドウに対して、２０％未満である、請求項２に記載の記録媒体。
【請求項６】
前記第２の区間の最小区間は、前記基準クロックで変調された最長マークよりも長い、請求項２に記載の記録媒体。
【請求項７】
前記第１の区間と前記第２の区間により副次データが記録されている、請求項６記載の記録媒体
【請求項８】
複数の区間に区分されたデータ記録領域に、基準クロックに基づいて主データが記録された記録媒体であって、前記データ記録領域は、
前記基準クロックの基準位相配置において主データが記録された第１の区間と、
前記基準位相配置から前記基準クロック周期の５〜１５％の範囲内の位相ずれ量で主データが記録された第２の区間と、を備え、
前記位相ずれ量に基づいて、副次データが記録されている、
記録媒体。
【請求項９】
区分された複数の区間を有するデータ記録領域に、複数のクロックに基づいて主データが記録された記録媒体であって、
前記複数の区間の各区間は、各区間に割り当てられたクロック周波数で記録されたデータを有し、
前記複数の区間の各区間には、予め設定された周波数データに従って、クロック周波数が割り当てられ、
少なくとも一つのトラック内において、前記クロック周波数が異なる、記録媒体。
【請求項１０】
区分された複数の区間を有するデータ記録領域に、複数のクロックに基づいて、主データが記録された記録媒体であって、
前記複数の区間の各区間は、予め定められたクロック周波数で記録されたデータを有し、
前記データ記録領域は、
第１のクロック周波数で記録されたデータを有する複数の第１の区間と、
一つの前記第１の区間に連続する区間であって、前記第１のクロック周波数と異なる第２の周波数で記録されたデータを有する第２の区間と、を備える記録媒体。
【請求項１１】
前記各区間は、予め定められた区間長を有している、請求項９または１０に記載の記録媒体。
【請求項１２】
区分された複数の区間を有するデータ記録領域に、複数のクロックに基づいて、主データが記録された記録媒体であって、
前記複数の区間の各区間は、各区間に割り当てられたクロック周波数で記録されたデータを有し、
前記各区間に割り当てられたクロック周波数に基づいて、副次データが記録されている、記録媒体。
【請求項１３】
前記複数の区間の最小区間は、各区間に割り当てられたクロックで変調された最長マークよりも長い区間を単位として副次データを記録する、請求項１２に記載の記録媒体。
【請求項１４】
記録媒体の記録および／もしくは再生を行う装置であって、
前記記録媒体に記録された主データを読み取る読み取り手段と、
前記読み取られた主データに基づいて、前記主データの位相データを検出する検出手段と、
前記検出手段によって検出された位相データに基づいて、副次データを復調する、副次データ復調手段と、
を有する、装置。
【請求項１５】
前記検出手段は、データクロックウィンドウにおけるデータの再生位置検出に基づき、前記主データのデータ間の位相ずれ量を検出する、請求項１４に記載の装置。
【請求項１６】
前記検出手段は、前記主データに基づきクロックを再生するクロック再生手段からの位相差信号に基づき、前記主データのデータ間の位相ずれ量を検出する、請求項１４に記載の装置。
【請求項１７】
記録媒体の記録および／もしくは再生を行う方法であって、
前記記録媒体に記録された主データを読み取る読み取りステップと、
前記読み取られた主データに基づいて、前記主データの位相データを検出する検出ステップと、
前記検出手段によって検出された位相データに基づいて、副次データを復調する、副次データ復調ステップと、
を有する方法。
【請求項１８】
記録媒体の記録および／もしくは再生を行う装置であって、
前記記録媒体に記録された主データを読み取る読み取り手段と、
前記読み取られた主データに基づいて、主データのクロック周波数を検出する検出手段と、
前記検出手段によって検出された周波数に基づいて、副次データを復調する、副次データ復調手段と、
を有する、装置。
【請求項１９】
複数のデータ記憶区間に対して異なる周波数が割り当てられる、記録媒体の記録および／もしくは再生を行う装置であって、
前記複数のデータ記憶区間に対応したクロック周波数を設定するための周波数データを有するメモリと、
前記メモリに記憶された周波数データに基づいて、前記記録媒体のためのクロック周波数を生成する、クロック周波数生成手段と、
前記生成されたクロック周波数基づいて、前記データ記憶区間へのデータの記録もしくは再生処理を行う、装置。
【請求項２０】
複数のデータ記憶区間に対して異なる周波数が割り当てられる、記録媒体の記録および／もしくは再生を行う方法であって、
前記複数のデータ記憶区間に対応したクロック周波数を設定するための周波数データに基づいて、前記記録媒体のためのクロック周波数を生成するステップと、
前記生成されたクロック周波数基づいて、前記データ記憶区間へのデータの記録もしくは再生処理を行うステップと、
を有する、方法。
【請求項２１】
基準クロックに基づいて記録された主データと、
前記基準クロックの位相を変調して記録された副次データと、
を有する、記録媒体。
【請求項２２】
記録媒体の記録および／もしくは再生を行う装置であって、
前記記録媒体への主データの記録に使用されるクロックを生成する、クロック生成手段と、
前記クロック生成手段からのクロックに基づいて、前記記録媒体にデータを記録する記録手段と、
副次データを記録するメモリと、を備え、
前記クロック生成手段は、前記メモリに記録された副次データに基づいて、位相を変化させてクロックを出力する、装置。
【請求項２３】
記録媒体の記録および／もしくは再生を行う装置であって、
前記記録媒体への主データの記録に使用されるクロックを生成する、クロック生成手段と、
前記クロック生成手段からのクロックに基づいて、前記記録媒体に主データを記録する記録手段と、
副次データを記録するメモリと、を備え、
前記クロック生成手段は、前記メモリに記録された副次データに基づいて、出力クロック周波数を変化させる、装置。
【請求項２４】
記録媒体の記録および／もしくは再生を行う方法であって、
前記記録媒体への主データの記録に使用されるクロックを生成するステップと、
前記クロック生成手段からのクロックに基づいて、前記記録媒体にデータを記録するステップと、を備え、
前記クロックを生成するステップは、メモリに記録された副次データに基づいて、出力クロックの位相がずれるようにクロックを生成する、方法。
【請求項２５】
記録媒体の記録および／もしくは再生を行う方法であって、
前記記録媒体への主データの記録に使用されるクロックを生成するステップと、
前記クロック生成手段からのクロックに基づいて、前記記録媒体にデータを記録するステップと、を備え、
前記クロックを生成するステップは、メモリに記録された副次データに基づいて、出力クロック周波数が変化するようにクロックを生成する、方法。
【発明の詳細な説明】
【０００１】
【発明の属する技術分野】
本発明は、記録媒体、その記録および／もしくは再生装置、及びその記録および／もしくは再生方法、に関する。
【０００２】
【従来の技術】
ＤＶＤ、ＤＶＤ−ＲＡＭ、ＣＤ、ＣＤ−Ｒ、あるいはＭＯやＭＤなどの光ディスクに代表される記録媒体は、昨今、ますます高密度が要求されている。その要求に従って、記録媒体へのより高密度の記録を可能とする技術が研究され、実現されている。記録媒体の高密度化を達成するためには、記録媒体自体の特性、記録方法の改善、向上が必要であるのみならず、記録媒体を駆動する駆動装置が、その記録媒体に適した駆動条件で、記録媒体を駆動することが必要とされる。
【０００３】
例えば、多くのＣＤ−Ｒにおいて、ＣＤ−Ｒへの情報の記録は、２倍速、４倍速での記録が可能となっている。しかし、特定のＣＤ−Ｒにおいては、等倍速での記録のみが可能であって、２倍速、４倍速で情報を記録した場合、正確に記録情報を再生できない場合がある。従って、記録媒体を適切に駆動するためには、記録媒体を駆動するための細かな条件を、駆動装置において設定しなければならない。
【０００４】
この設定条件は、挿入され駆動される記録媒体ごとに変化させ、適切な条件を設定する必要がある。光ディスクの記録／再生を確実に実行し信頼性の高い記録システムを構成するためには、光ディスクの記録特性／記録再生条件等が、駆動装置において、適切に設定される必要がある。記録再生条件を適切なものに設定できない場合は、適切な再生もしくは記録を行うことができない。
【０００５】
以上のような点から、特に、高密度記録のためのフォーマットとして、駆動装置が、記録再生条件を適切に設定可能な場合に限り、記録再生を実行できる環境が要求される。上記のように、問題は、記録媒体と駆動装置との関係に存在する。例えば、記録媒体が高密度に記録再生できない場合、駆動装置が媒体に高記録密度記録を行おうとしても、情報は適切に記録できない。
【０００６】
一方、光ディスクに記録されている情報を保護することも重要である。高密度に記録されている記録媒体から、容易に情報を読み出し複製することを、阻止する機能が要求されている。特に、情報が一枚の記録媒体に大量に記録されることから、記録媒体から情報を再生し、その情報を複製した記録媒体を作成することを、困難にすることが求められている。
【０００７】
例えば、情報記録媒体から情報を読みだすための鍵情報や情報記録媒体と媒体駆動装置との適合性を確認するための固有情報などを、フォトルミネッセンス効果を有する透明な潜像インクによって情報記録媒体の表面に潜像マークとして形成することが知られている。これにより、これらの情報の秘匿性が高く、専用の媒体駆動装置以外での情報の読出しを防止でき、著作物や秘密情報の複製や拡散を防止できる（特許文献１参照）。
【０００８】
第３者による不正な情報の複製の一態様は、ユーザによって記録されたコンテンツとしての情報の複製である。ユーザ情報の複製を防止する手段として、上記のようにＩＤ情報を使用する技術が知られている。しかし、適合性を確認するためのＩＤ情報が一度複製されてしまうと、第３者はその情報を使い続けることにより、情報の複製を繰り返し行うことができる。あるいは、第３者にＩＤ情報による認証のアルゴリズムが知られている場合、ＩＤ情報の複製及びそれによる情報の複製が行われやすいという問題がある。
【０００９】
あるいは、第３者による不正な情報の複製は、ユーザによって記録されたコンテンツとしての情報に加えて、管理情報を含む、製造段階において記録媒体に予め記録された情報の複製を防止することは重要である。例えば、本体情報としてのコンテンツを有していない書き換え型の記録媒体から、第３者により製造者認識ＩＤや管理情報など複製されて、書き換え型記録媒体の所謂模造品が市場に供給される問題がある。
【００１０】
【特許文献１】
特開平７−１９２３８５号公報
【００１１】
【発明が解決しようとする課題】
本発明は上記従来技術に鑑みてなされたものであって、本発明の一つの目的は、記録媒体のよりセキュアな駆動を可能とする、記録媒体、その記録および／もしくは再生装置、及びその記録および／もしくは再生方法、を提供することである。
【００１２】
【課題を解決するための手段】
本発明の第１の態様は、複数の区間に区分されたデータ記録領域に、基準クロックに基づいて主データが記録された記録媒体であって、基準クロックの基準位相配置において主データが記録された第１の区間と、第１の区間とは異なる位相配置で、基準クロックに基づいて主データが記録された第２の区間と、を備えたものである。上記構成により、例えば、副次データを記録することができ、主情報の管理情報を平行して記録することができる。例えば、副次データは主情報の再生条件等を補佐する情報とすることができ、管理が容易になる。
【００１３】
前記第１の区間と第２の区間の位相ずれ量は、予め定められた範囲であることが好ましい。これにより、例えば、自然に発生するジッタと、製造上意図的に発生させたジッタとの区別を明確にすることができる。
上記データ記録領域は、複数の第２の区間を有し、複数の第２の区間の各々は、基準位相配置に対して、遅れた位相ずれ量もしくは進んだ位相ずれ量を有していることができる。
上記位相ずれ量は、実質的に、基準クロック周期の５〜１５％であることが好ましい。この構成を有することにより、例えば、適切な主データ及び副次データの再生を行うことができる。
上記位相ずれ量は、記録媒体の再生基準クロックィンドウに対して、実質的に、２０％以下であることが好ましい。この構成を有することにより、例えば、適切な主データ及び副次データの再生を行うことができる。
上記第２の区間の最小区間は、前記基準クロックで変調された最長マークよりも長いことが好ましい。この構成を有することにより、スペクトラム的に干渉しないので、主データへの干渉を抑えることができる。
前記第１の区間と前記第２の区間により副次データが記録されていることが好ましい。副次データが記録されることにより、記録媒体駆動のセキュリティを向上させることができる。
【００１４】
本発明の他の態様は、複数の区間に区分されたデータ記録領域に、基準クロックに基づいて主データが記録された記録媒体であって、データ記録領域は、基準クロックの基準位相配置において主データが記録された第１の区間と、基準位相配置から基準クロック周期の５〜１５％の範囲内の位相ずれ量で主データが記録された第２の区間と、を備え、位相ずれ量に基づいて、副次データが記録されている、ものである。上記構成により副次データが記録されることにより、記録媒体駆動のセキュリティを向上させることができる。
【００１５】
本発明の他の態様は、区分された複数の区間を有するデータ記録領域に、複数のクロックに基づいて、主データが記録された記録媒体であって、複数の区間の各区間は、各区間に割り当てられたクロック周波数で記録されたデータを有し、複数の区間の各区間には、予め設定された周波数データに従って、クロック周波数が割り当てられ、少なくとも一つのトラック内において、前記クロック周波数が異なる、ものである。この構成を有することにより、記録媒体駆動のセキュリティを向上させることができる。
【００１６】
本発明の他の態様は、区分された複数の区間を有するデータ記録領域に、複数のクロックに基づいて、主データが記録された記録媒体であって、複数の区間の各区間は、予め定められたクロック周波数で記録されたデータを有し、データ記録領域は、第１のクロック周波数で記録されたデータを有する複数の第１の区間と、一つの前記第１の区間に連続する区間であって、第１のクロック周波数と異なる第２の周波数で記録されたデータを有する第２の区間と、を備えるものである。この構成を有することにより、記録媒体駆動のセキュリティを向上させることができる。
【００１７】
本発明の他の態様は、区分された複数の区間を有するデータ記録領域に、複数のクロックに基づいて、主データが記録された記録媒体であって、複数の区間の各区間は、各区間に割り当てられたクロック周波数で記録されたデータを有し、各区間に割り当てられたクロック周波数に基づいて、副次データが記録されている、ものである。上記構成により副次データが記録されることにより、記録媒体駆動のセキュリティを向上させることができる。
【００１８】
上記複数の区間の最小区間は、各区間に割り当てられたクロックで変調された最長マークよりも長い区間を単位として副次データを記録することが好ましい。この構成を有することにより、スペクトラム的に干渉しないので、主データへの干渉を抑えることができる。
【００１９】
本発明の他の態様は、記録媒体の記録および／もしくは再生を行う装置であって、記録媒体に記録された主データを読み取る読み取り手段と、読み取られた主データに基づいて、前記主データの位相に関するデータである位相データを検出する検出手段と、検出手段によって検出された位相データに基づいて、副次データを復調する、副次データ復調手段と、を有するものである。上記構成により副次データが再生されることにより、記録媒体駆動のセキュリティを向上させることができる。
【００２０】
上記検出手段は、データクロックウィンドウにおけるデータの再生位置検出に基づき、前記主データのデータ間の位相ずれ量を検出することができる。
上記検出手段は、主データに基づきクロックを再生するクロック再生手段からの位相差信号に基づき、前記主データのデータ間の位相ずれ量を検出することができる。
【００２１】
本発明の他の態様は、記録媒体の記録および／もしくは再生を行う方法であって、記録媒体に記録された主データを読み取る読み取りステップと、読み取られた主データに基づいて、前記主データの位相に関するデータである位相データを検出する検出ステップと、検出手段によって検出された位相データに基づいて、副次データを復調する、副次データ復調ステップと、を有するものである。上記構成により副次データが再生されることにより、記録媒体駆動のセキュリティを向上させることができる。
【００２２】
本発明の他の態様は、記録媒体の記録および／もしくは再生を行う装置であって、記録媒体に記録された主データを読み取る読み取り手段と、読み取られた主データに基づいて、主データのクロック周波数を検出する検出手段と、検出手段によって検出された周波数に基づいて、副次データを復調する、副次データ復調手段と、を有する、ものである。上記構成により副次データが再生されることにより、記録媒体駆動のセキュリティを向上させることができる。
【００２３】
本発明の他の態様は、複数のデータ記憶区間に対して異なる周波数が割り当てられる、記録媒体の記録および／もしくは再生を行う装置であって、複数のデータ記憶区間に対応したクロック周波数を設定するための周波数データを有するメモリと、メモリに記憶された周波数データに基づいて、前記記録媒体のためのクロック周波数を生成する、クロック周波数生成手段と、生成されたクロック周波数基づいて、前記データ記憶区間へのデータの記録もしくは再生処理を行う、ものである。上記構成により、記録媒体駆動のセキュリティを向上させることができる。
【００２４】
本発明の他の態様は、複数のデータ記憶区間に対して異なる周波数が割り当てられる、記録媒体の記録および／もしくは再生を行う方法であって、複数のデータ記憶区間に対応したクロック周波数を設定するための周波数データに基づいて、記録媒体のためのクロック周波数を生成するステップと、生成されたクロック周波数基づいて、データ記憶区間へのデータの記録もしくは再生処理を行うステップと、を有する、ものである。上記構成により、記録媒体駆動のセキュリティを向上させることができる。
【００２５】
本発明の他の態様は、基準クロックに基づいて記録された主データと、基準クロックの位相を変調して記録された副次データと、を有する、記録媒体である。上記構成によって副次データ有することにより、記録媒体駆動のセキュリティを向上させる。
本発明の他の態様は、記録媒体の記録および／もしくは再生を行う装置であって、記録媒体への主データの記録に使用されるクロックを生成する、クロック生成手段と、クロック生成手段からのクロックに基づいて、記録媒体にデータを記録する記録手段と、副次データを記録するメモリと、を備え、クロック生成手段は、前記メモリに記録された副次データに基づいて、位相を変化させてクロックを出力する、ものである。上記構成に従って副次データを記録することにより、記録媒体駆動のセキュリティを向上させることができる。
【００２６】
本発明の他の態様は、記録媒体の記録および／もしくは再生を行う装置であって、記録媒体への主データの記録に使用されるクロックを生成する、クロック生成手段と、クロック生成手段からのクロックに基づいて、記録媒体に主データを記録する記録手段と、副次データを記録するメモリと、を備え、クロック生成手段は、メモリに記録された副次データに基づいて、出力クロック周波数を変化させる、ものである。上記構成に従って副次データを記録することにより、記録媒体駆動のセキュリティを向上させることができる。
【００２７】
本発明の他の態様は、記録媒体の記録および／もしくは再生を行う方法であって、記録媒体への主データの記録に使用されるクロックを生成するステップと、クロック生成手段からのクロックに基づいて、記録媒体にデータを記録するステップと、を備え、クロックを生成するステップは、メモリに記録された副次データに基づいて、出力クロックの位相がずれるようにクロックを生成する、ものである。上記構成に従って副次データを記録することにより、記録媒体駆動のセキュリティを向上させることができる。
【００２８】
本発明の他の態様は、記録媒体の記録および／もしくは再生を行う方法であって、記録媒体への主データの記録に使用されるクロックを生成するステップと、クロック生成手段からのクロックに基づいて、記録媒体にデータを記録するステップと、を備え、クロックを生成するステップは、メモリに記録された副次データに基づいて、出力クロック周波数が変化するようにクロックを生成する、ものである。上記構成に従って副次データを記録することにより、記録媒体駆動のセキュリティを向上させることができる。
【００２９】
【発明の実施の形態】
以下、図面を参照して本発明の実施形態を説明する。以下の説明は、本発明の実施形態の例を示すものであって、本発明の範囲が以下の記載のみに限定されるものではない。以下の説明は、本発明の内容を明確に説明するために、省略、簡略化が行われている。又、当業者であれば、本発明に含まれる範囲内において、以下に説明される構成の、変更、代替、付加、を適宜行うことが可能である。
【００３０】
実施の形態１．
本形態の光ディスクは、主データのクロックを位相変調することによって、副次データを記録する。特に、自主データのクロックウィンドウのジッタマージン代を使用して、副次データを記録する。クロックの位相ずれによって副次データを記録することにより、光ディスクのセキュリティを向上させることができる。本形態は、ＤＶＤ、ＤＶＤ−ＲＷ、ＤＶＤ−ＲＡＭ、ＣＤ、ＣＤ−Ｒ、ＭＯやＭＤなどの光ディスクに代表される様々な記録媒体に適用可能である。
【００３１】
図１は、典型的な光ディスク１００の一例として、ＤＶＤ−ＲＡＭの一般的な構成を示している。ＤＶＤ−ＲＡＭのように内周側から記録していくタイプの光ディスクは、内周部にコントロール・トラックを含むリードイン領域１０１を、その外側に、本体データとしてのユーザデータを記録する、追加記録領域１０２を構成有している。ＤＶＤ−ＲＡＭは内周側から使用されていくので、内周側にリードイン領域１０４を配置がされる。外周側から記録していくディスクは、外周側にリードイン領域を有している。ＭＯなどの光磁気ディスクは、リードイン領域とは呼称していないが、内周及び外周の双方に、コントロール・トラック領域を有している。
【００３２】
コントロール・トラックは、ディスクの記録／再生／消去条件等、記録媒体の記録／再生動作に関する管理情報が記録される。管理情報は、例えば、ＴＯＣ、光ディスクの製造者認識情報、レーザ・パワー、レーザ周波数、回転数、フォーマット情報、変調方式に関する情報など、光ディスクの駆動に使用される情報が含まれる。その他、光ディスクのデータの再生やデータの記録を開始するめに必要とされる情報や、スクランブル鍵など正確に再生するための情報などの光ディスクの駆動に使用される情報を含むこともできる。本形態の副次データは、例えば、上記の管理情報を含むことができる。副次データは、リードインあるいは、追記記録領域において、クロックに伴って記録することができる。
【００３３】
図２は、本形態において、副次データを基準クロックのジッタマージン代に記録した様子を示す図である。データ列を連続的に変調して記録する光ディスクにおいて、記録するデータは基準クロックに同期して記録される。つまり記録する情報はエラーコレクションコードや記録に必要な制御情報（同期信号、アドレス信号、コントロール信号等）を加えて、必要ならスクランブル処置を施し記録のための変調（１−７や２−７ＲＬＬ、８−１６変換等のコード変換）を実行して記録される。記録するデータ列は、変調信号に対し基準クロックで同期を取って記録する。
【００３４】
この基準クロックは再生時において、再生信号からデータを再現する時の重要な役割を演じる。つまり、基準クロックで仕切られるウィンドウにデータ再生の弁別を設けている。光ディスクの一般的な仕様では、再生信号におけるクロックウィンドウの中の揺らぎをジッタとして規定し、例えばＤＶＤ−ＲＯＭのような媒体であれば、クロックウィンドウの８％程度を目安として規定している。つまりこの範囲の揺らぎであればドライブの再生過程においてデータの再生に対する信頼度が確保できることを保証している。実際にはウィンドウに対してマージンを持ちながら規定しており、８％程度を超えるジッタがあっても、再生データに支障をきたす事は少ない。
【００３５】
図２において、２０１は主データの記録／再生に使用される基準クロックを示している。２０２は、副次データを記録するように変調された基準クロックを示している。２０２は、３つの区間を有している。第１の区間は、基準クロックが基準位相配置にある。第１の区間に続く第２の区間は、基準クロックの位相が基準位相配置から所定量分ずれている。図２における第２の区間は、その位相が、基準位相配置に対して進んでいる状態を示している。第２の区間に続く第３の区間においては、基準クロックの位相が基準位相配置に戻っている。
【００３６】
例えば、第２の区間は”１”の副次データを記録し、第１及び第３の区間は、”０”の副次データを記録している。このように、各区間の位相のずれは、副次データの値に従って制御される。位相のずれは、基準位相配置に対して進めることも、遅らせることも可能である。又、位相ずれと、そのずれに対応する副次データとの関係は、適宜選択することができる。例えば、所定量進んだ位相ずれを有する場合が、”１”の副次データと対応し、所定量遅れた位相ずれを有する場合が、”０”の副次データと対応することができる。副次データのデータ長に従って、基準位相配置に対して位相がすれた複数の区間が形成される
【００３７】
図２（ｂ）に示すように、第２の区間の基準クロックは、その位相が基準位相配置に対して、基準クロック周期の５〜１５％進んでいることが好ましい。駆動装置の適正な動作、及び、副次データを記録するためのずれ量とのバランスを考慮すれば、位相ずれ量は、実質的に、基準クロック周期の５〜１５％であることが好ましい。５％以下では変調の感度、検出の問題から副次データを再生できない可能性が高くなる。一方、１５％を越えるジッタは、駆動装置の適正な動作を阻害する要因となりうる。ジッタマージンとして１５％までを許容するようにドライブ設計を行なえば、媒体のジッタ量として１５％まで制御することが可能になる。さらに、位相ずれ量は、同様の観点から、再生基準クロックウィンドウに対して、２０％未満であることが好ましい。基準クロックの位相を変調する区間の区間長は、変調区間によって変化させることも可能である。
【００３８】
記録のための基準クロック位相をある範囲においてずらすことで、ずらしたポイントから以前のクロック位相情報で再現していた再生クロックによるウィンドウは、ここでずらした分だけ瞬間ジッタが発生することになる。通常再生クロックは再生信号からのＰＬＬ回路により生成するが、ＰＬＬ回路の時定数分だけウィンドウはすぐには戻らない（位相同期がずれる）ことになる。従ってこのときＰＬＬ回路においては以前からのウィンドウタイミングを開けてジッタを評価していることになる。そして再生信号の基準クロックのずれはジッタの値として検出される。
【００３９】
ＰＬＬ回路はフィードバック回路であるので、動作時定数を超える長い時間で位相をずらしても副次データの再生という点から好ましくはない。一方、変調区間が、主データの変調を行なった際の最長パターンより短いと、スペクトラム的に主データに妨害を与えることになり望ましくない。例えば、ＤＶＤ−ＲＯＭは、３Ｔから１４Ｔのパターンによって主データが記録される。主データの最長パターンである１４Ｔより、変調区間が長いことが好ましい。従って、クロックに対する変調タイミングは、主データの最長パターンよりも長く、再生ＰＬＬ回路の動作時定数よりも短い範囲で設定することが好ましい。
【００４０】
上記光ディスクの、マスタリングプロセスを説明する。周知のように、光ディスクは、所望のプリフォーマットパターンがカッティングされた光ディスク原盤から金型としてのスタンパを形成し、そのスタンパを使用して射出成型することによってレプリカディスクが複製される。光ディスク原盤のカッティングは、光ディスク原盤露光装置によって行なわれる。図３（ａ）は、光ディスクの記録装置の一態様であって、本形態のマスタリング・プロセスに使用される、光ディスク原盤露光装置３００を示している。図３（ａ）において、３０１は第１クロックを生成する第１クロック生成器、３０２は第２クロックを生成する第２クロック生成器である。３０３は、マスターテープなどからの再生信号をＤＶＤ記録用電気信号に変調するフォーマッタである。３０４は入力されたクロック信号を切り替えるスイッチである。３０５はフォーマッタからの信号と、予め記憶された副次データに基づき、クロックの切り替えスイッチ３０４を制御するＰＣである。３０６は、光ディスク原盤のカッティングを行うレーザカッタ、３０７は基本クロック生成器である。
【００４１】
動作を説明する。第１クロック生成器３０１と、第２クロック生成器３０２は、基本クロック生成器３０７からの出力クロックに基づき、それぞれ位相の異なるクロックを生成する。図３（ｂ）は、第１クロック生成器３０１と、第２クロック生成器３０２の出力クロックを示している。第１クロック生成器３０１からの出力であるクロック１と、第２クロック生成器３０２からの出力であるクロック２との間に、αの位相ずれが存在する。クロック２はクロック１よりも、αの位相ずれ量、進んでいる。クロック１とクロック２の周波数は、同一である。位相ずれは、例えば、遅延回路など使用して生成することができる。
【００４２】
ＰＣは、そのメモリに、予め、副次データを有している。副次データに従って、切り替えスイッチ３０４を切り替える。例えば、副次データが“０”である場合、ＰＣは切り替えスイッチがクロック１を選択するように制御し、副次データが“１”である場合、ＰＣは切り替えスイッチがクロック２を選択するように制御する。マスターテープなどからの再生信号を受信したフォーマッタ３０３は、切り替えスイッチ３０４から出力されたクロックに従って、再生信号をＤＶＤ記録用電気信号に変調する。以上の動作により、光ディスク原盤に主データを記録すると同時に、主データのクロックに、副次データを記録することができる。
【００４３】
図４は、本実施形態の光ディスク駆動装置の概略論理構成を示している。図４において、４０１は、ＰＣなどからの記録主データを、光ディスク４１２に記録するためのデータに変調する変調回路である。４０２は、クロックを生成するクロック生成回路、４０３はクロック生成回路４０２を制御するクロックコントローラである。４０４は、入力された主データとクロックに基づいて、記録位置に対応した記録パルスを生成するライトパルス生成回路である。４０５は、記録位置に対応したパワー設定値、及び記記録パルスに基づきレーザを駆動する信号を出力するレーザドライバである。尚、クロック生成回路がクロックコントローラの機能を有することが可能である。この点は以下の記載において同様である。
【００４４】
４０６は光ディスクへのデータの書き込み及び光ディスクからのデータの読み取りを行う光ヘッドである。光ヘッド４０６は、典型的には、レーザ光源と、対物レンズと、レーザ光源から出射されたレーザビームを対物レンズに導く光学部品と、レーザビームに信号変調をかける光変調器と、光ディスクからの反射光強度を検出する光検出器と、対物レンズから出射されるレーザビームにオートフォーカスサーボおよびトラッキングサーボをかけるサーボ手段を含んでいる。
【００４５】
４０７は、光ヘッド４０６からの再生信号を増幅するＲＦアンプである。４０８は、ＲＦアンプ４０７によって増幅された再生信号から、データ検出のためのクロックを生成するクロック生成回路である。４０９は、入力された再生信号とクロックに基づき、主データを検出するデータ検出回路である。４１０は、データ検出回路からの信号に基づき、副次データの検出を行う副次データ検出回路、４１１は、副次データ検出回路４１０によって検出された副次データを、再生のために必要な復調処理を行う、復調回路である。
【００４６】
図５を参照して、再生の基本動作について説明する。光ディスクから読み取られたデータ（Ｓ５−１）は、クロック生成回路４０８に入力され、基準クロックが生成される（Ｓ５−２）。基準クロックに基づき、データ検出回路４０９がウィンドウパルスを生成する（Ｓ５−３）。基準クロックと読み取りデータに基づき、データ検出回路４０９はクロックウィンドウ内にある再生信号を検出し、データ弁別が行われデータが検出される（Ｓ５−４）。データ検出回路４０９はクロックウィンドウにおけるデータ再生位置を検出し、検出信号を出力する（Ｓ５−５）。副次データ検出回路４１０は、検出信号に基づき副次データを検出し（Ｓ５−６）、復調回路４１１が検出された副次データを復調する（Ｓ５−７）。
【００４７】
具体的に説明する。光ヘッド４０６は、光ディスクからデータを読み取り、電気信号である再生信号を出力する。出力された再生信号は、ＲＦアンプ４０７によって所定周波数において増幅される。クロック生成回路４０８は再生信号から、フィードバック処理によりクロック信号を生成し、そのクロック信号と再生信号とが、データ検出回路４０９に入力される。データ検出回路４０９は、クロック信号からウィンドウパルスを生成する。
【００４８】
データ検出回路４０９は、さらに、そのウィンドウパルス内の再生信号の有無からデータ弁別を行い、主データの検出を行う。このデータが復調回路で復調され、再生主データが得られる。データ検出回路４０９は、さらにクロックウィンドウにおけるデータ再生位置を検出し、検出信号を出力する。検出信号は、位相ずれ量に従って変化する。副次データ検出回路４１０は、検出信号から位相ずれ量を検出し、副次データを検出する。検出された副次データは復調回路４１１に入力され、再生データである再生副次データが得られる。尚、副次データはクロック生成回路からの位相差信号に基づいて検出することができる。この点は、実施の形態２において説明する。
【００４９】
図６を参照して、記録動作の基本動作について説明する。ＰＣなどから取得された副次データ（Ｓ６−１）に基づき、クロック生成回路４０２が、位相の異なる複数のクロックを生成・出力する（Ｓ６−２）。出力されたクロックと記録主データに基づき、ライトパルスが生成され（Ｓ６−３）、そのライトパルスに基づき光ディスクにデータが記録される（Ｓ６−４）。
【００５０】
具体的に説明する。ＰＣから出力された副次データは、クロックコントローラ４０３に入力される。クロックコントローラ４０３は、副次データに従って制御信号をクロック生成回路４０２に出力する。クロック生成回路４０２は、制御信号に従って、位相が異なる複数のクロックを、予め定められた区間において出力する。例えば、副次データ“０”に対応して、図３に示したクロック１を出力し、副次データ“１”に対応して、クロック２を出力することができる。各クロックは、同一の基準クロック周波数を有する。位相ずれ量は、上記のように、基準クロックの周期の５〜１５％であることが好ましい。又、各クロックで出力される区間の長さは、主データの最長パターンよりも長く、再生ＰＬＬ回路の動作時定数よりも短い範囲であることが好ましい。
【００５１】
ＰＣから出力された主データは、必要な変調を変調回路４０１において実施され、ライトパルス生成回路４０４に入力される。ライトパル生成回路４０４は、入力された主データとクロック生成回路からのクロックに基づき、記録位置に対応した記録パルスを生成する。レーザドライバ４０５は、記録位置に対応したパワー設定値、及び記記録パルスに基づきレーザを駆動する信号を出力して光ヘッドを制御する。光ヘッド４０６は、レーザドライバ４０５からの制御信号に基づき、光ディスクへのデータの書き込みを実行する。
【００５２】
図７は、クロック生成回路４０２の一例を示す、構成図である。図７において、７０１はＰＬＬ回路、７０２は遅延回路、７０３は制御信号に従って、入力信号を選択して出力するスイッチ、７０４は周波数発信器である。周波数周波数発信器から出力された信号は、ＰＬＬ回路７０１において所定のクロック信号に変調され、出力される。ＰＬＬ回路７０１からのクロック信号は分岐され、一方はスイッチ７０３に入力され、もう一方は、遅延回路７０２を介してスイッチ７０３に入力される。遅延回路７０２を介してスイッチ７０３に入力された信号は、もう一方の信号と比較して、位相が所定量遅れている。スイッチ７０３は副次データに基づき、一方のクロック信号を選択して出力する。本形態のスイッチ７０３は、クロックコントローラが副次データに基づき出力した制御信号に従い、クロック信号を選択する。
【００５３】
本実施の形態によれば、主データの基準クロックの位相を変化させることにより、管理情報などを副次データとして光ディスクに記録することができるので、光ディスクのセキュリティが向上する。
【００５４】
実施の形態２．
図８は、他の実施の形態にかかる光ディスク駆動装置の概略を示す論理構成図である。図８において、図４と同一の符号を付された要素は、図４において説明された要素と実質的に同一であり、説明を省略する。本形態の光ディスクは、複数の区間において、異なる基準クロック周波数で、主データが記録される。各区間は、周波数が異なる複数の基準クロックから選択された一つのクロックで、データが記録される。各区間の基準クロック周波数に、副次データを対応させることによって、主データのクロック信号に副次データを記録することができる。図２を参照して、例えば、２０２の第１の区間を基準クロック周波数Ｆ１で主データを記録する。第２の区間は、基準クロック周波数Ｆ２で主データが記録される。第３の区間は、基準クロック周波数Ｆ１で主データが記録される。基準クロック周波数Ｆ１の区間が副次データ“０”に対応し、基準クロック周波数Ｆ２の区間が副次データ“１”に対応する。
【００５５】
図８において、８０１は副次データに基づいて制御信号を出力するクロックコントローラ、８０２はクロックコントローラ８０１からの制御信号に基づき、異なる周波数のクロック信号を出力するクロック生成回路である。８０３は、光ディスクからの再生信号に基づきクロックを出力するクロック生成回路である。８０４は、再生信号とクロック信号に基づき、主データを弁別するデータ検出回路である。８０５はクロック生成回路８０３からの位相差信号に基づき、副次データを検出する副次データ検出回路である。８０６は検出された副次データを、再生のために必要な復調処理を行う、復調回路である。
【００５６】
図１０を参照して、本形態における再生処理の基本動作を説明する。光ディスクから、光ヘッド４０６によって読み取られたデータは（Ｓ１０−１）、クロック生成回路８０３に入力される。クロック生成回路８０３において、主データからの位相シフトが検出され（Ｓ１０−２）、主データのデータ間の位相差に基づく位相差信号が出力される。クロック生成回路８０３において、位相差信号に基づきクロックが生成され出力される（Ｓ１０−３）。位相差信号は副次データ検出回路８０５に入力され、副次データ検出回路８０５において、位相差信号に基づき副次データが検出される（Ｓ１０−４）。その後、副次データに対して、復調回路８０６において、必要な復調処理が実行される（Ｓ１０−５）。
【００５７】
具体的に説明する。図９は、副次データの再生に主に寄与する論理構成の一例を示している。図９において、９０１は入力データを所定値に基づき２値化する、２値化回路である。９０２は、２つの入力データの位相差を比較し、位相差量に基づき位相差信号を出力する、位相比較回路である。９０３はループフィルタである。９０４は入力信号に基づき制御される周波数信号を出力する、ＶＣＯ（Ｖｏｌｔａｇｅ　Ｃｏｎｔｒｏｌｌｅｄ　Ｏｓｃｉｌｌａｔｏｒ）である。
【００５８】
光ヘッド４０６から出力された再生データは、ＲＦアンプ４０７によって増幅された後、クロック生成回路８０３に入力される。再生信号は、２値化回路によって２値化され出力される。出力データは分岐され、一方は主データの再生信号として出力される。もう一方は、位相比較回路９０２に入力される。位相比較回路に９０２には、ＶＣＯ９０４から出力されたクロック信号が入力される。クロック信号は過去の再生データに基づいて生成された信号であり、位相比較回路９０２には、再生データと、クロック信号が入力されている。
【００５９】
位相比較回路９０２は、クロック信号と再生信号との位相差を検出し、その位相差に基づき位相差信号を出力する。位相差信号は分岐され、一方がループフィルタ９０３に入力され、もう一方は、副次データ検出回路８０５に入力される。ループフィルタ９０３を経た位相差信号はＶＣＯ９０４に入力される。ＶＣＯ９０４は、入力された位相差信号に基づいて出力信号の周波数を変化させる。位相差が存在する場合は、ＶＣＯ９０４は、その位相差を小さくするように出力信号の周波数を変化させる。
【００６０】
主データの基準クロック周波数が、区間によって変化すると、ＶＣＯ９０４からのクロック信号と、２値化回路９０１からの再生信号との間に、位相差が発生し、位相比較回路からの出力が変化する。例えば、図２を参照して、第１の区間の周波数Ｆ１よりも第２の区間の周波数Ｆ２が大きい場合、第２の区間のデータを再生するとき、再生データの位相はクロック信号よりも進む。位相差比較回路９０２は、２つの入力データに位相差量に基づき位相差信号を出力する。ＶＣＯ９０４は、位相差を小さくするように、クロック信号の周波数を増加させる。理解されるように、周波数変移は再生データの許容ジッタ範囲を超えてはならない。主データの再生は正常に動作させ、許容ジッタマージンの範囲で変調することが重要である。
【００６１】
副次データ検出回路８０５は、位相差信号に基づき副次データの検出を行う。図９（ｂ）は、位相比較回路９０２からの位相差信号の一例を示している。周波数の切り替わりよって、位相差信号にピーク信号が現れる。基準クロック周波数が異なる区間、つまり、図９（ｂ）の区間は、最大マーク長よりも大きく、クロック生成回路の時定数よりも小さい。従って、エラーが原因で発生した位相ずれと区別することができる。これは、エラーが原因で発生した位相ずれにおいては、ピーク間隔が、通常、最大マーク長よりも小さくなるからである。検出された副次データは、復調回路８０６に入力され、復調回路８０６において副次データ再生のために必要な復調処理が実行される。
【００６２】
上記例は、位相比較回路９０２からの出力に基づき副次データを検出する。副次データの検出は、ループフィルタ９０３からの出力に基づき副次データを検出することができる。ただし、位相のずれが累積された信号が出力されるので、位相ずれが大きくなり再生不良が発生する可能性がある。このため、周波数が切り替わるたびに位相ずれをリセットすることが必要である。あるいは、周波数が変化するＶＣＯ９０４からの出力に基づいて副次データを検出することができる。ＶＣＯ９０４の出力信号は、区間遷移に伴う基準クロックの周波数変化に従って、周波数が変化する。従って、この信号から周波数を特定し、副次データを検出することが可能である。
【００６３】
図１１を参照して、本形態の記録動作の基本動作を説明する。ＰＣなどから出力された副次データを取得し（Ｓ１１−１）、クロック生成回路８０２において、副次データに基づき周波数が異なる複数のクロックを生成・出力する（Ｓ１１−２）。クロック生成回路８０２から出力されたクロック信号と、ＰＣなどから入力された主データとに基づき、ライトパルスを生成・出力する（Ｓ１１−３）。出力されたライトパルスに基づき、光ディスクへデータが記録される（Ｓ１１−４）。
【００６４】
具体的に説明する。ＰＣなどから入力された副次データは、クロックコントローラ８０１に入力される。クロックコントローラ８０１は、副次データに基づいて制御信号を出力する。クロック生成回路８０２は、クロックコントローラからの制御信号に基づいて、異なる周波数を有するクロック信号を出力する。クロック生成回路８０２は、副次データに対応した周波数を有するクロック信号を出力する。例えば、クロック生成回路８０２は、副次データ“０”に対応して周波数Ｆ１のクロック信号を出力し、副次データ“１”に対応して周波数Ｆ２のクロック信号を出力する。クロック生成回路８０２は、例えば、周波数発生器から出力された異なる周波数を有するクロックを、スイッチによって選択することによって、異なる周波数を有するクロックを生成・出力することができる。スイッチは、クロックコントローラ８０１からの制御信号に従って、クロック信号を選択する。上記の例に従えば、スイッチは、副次データ“０”に対応した制御信号により、周波数Ｆ１のクロックを選択し、副次データ“１”に対応した制御信号により、周波数Ｆ２のクロックを選択する。
【００６５】
本実施の形態によれば、主データの基準クロック周波数を変化させることにより、管理情報などを副次データとして光ディスクに記録することができるので、光ディスクのセキュリティが向上する。
【００６６】
実施の形態３．
本形態の光ディスクにおいて、所定のデータ記録領域は、区分された複数の区間を有する。各区間には、予め定められた対応周波数のクロックによって、主データが記録される。各区間に割り当てられるクロックは、異なる周波数を有する複数のクロックから選択される。所定のデータ記録領域は、例えば、リードインもしくは追加記録領域の一部、もしくは全部に設定されることができる。
【００６７】
図１２は、本形態の光ディスクに、主データが記録されている状態を示している。データ記録領域は、区分されたｍ個の区間を有している。各区間の大きさは、全て同一にすることも、又、それぞれの区間が異なる大きさを有することも可能である。各区間には、予め定められた周波数データに従って、所定周波数のクロックが割り当てられる。周波数データは、各区間のクロック周波数、各区間の大きさ、あるいは記録位置に対するタイミングなどの情報を含むことができる。
【００６８】
周波数データは、正規の駆動装置メーカ、もしくは記録媒体メーカなど、一部の当事者にのみ公開されることができる。あるいは、この周波数データをＩＣに記録することにより、非公開性を向上させることができる。周波数に関する情報は、光ディスクに予め記録しておくことが可能である。この情報は、例えば、暗号化して光ディスクに記録し、あるいは、その記録位置を非公開として記録することができる。
【００６９】
各区間に割り当てられる周波数の順序は、所定の規則に従うことも、又、ランダムであることも可能である。異なる区間に同じ周波数を割り当てることができる。例えば、第１の区間に周波数ｆ１、第２の区間に周波数ｆ２、第３の区間に周波数ｆ１を割り当てることができる。一つのトラック内に、複数の区間を割り当てることができる。ここで一つのトラックとは、らせん状に記録されるデータ列の、１周である。一つの区間が一つのトラックよりも長いこともできる。図１２の例において、５つの異なる周波数を有するクロックが、各区間に割り当てられている。０〜ｎ０までの第１の区間は基準クロックｆ０で記録された主データを有している。第１の区間に続く、ｎ０〜ｎ１までの第２区間においては、基準クロックｆ１で主データが記録されている。ｎ（ｍ−４）〜ｎ（ｍ−３）の区間においては、基準クロックｆ０で主データが記録されている。それに続く区間である、ｎ（ｍ−３）〜ｎ（ｍ−２）の区間においては、基準クロックｆ４で主データが記録されている。図１２の例において、同じ周波数が割り当てられた複数の区間は、異なる大きさをすることができる。又、連続する区間に割り当てられる周波数の順序は、ランダムである。
【００７０】
予め、割り当てられるクロック周波数と、記録位置に対するタイミングが決められていることで、セキュアなデータ再生が図れる。基準クロック周波数は、複数のクロック周波数から選択され、各区間に割り当てられる。又、各区間の記録量（あるいは記録クロック数）は、割り当てられた周波数と対応して設定される。駆動装置による光ディスクの再生においては、予めクロック周波数の値が変動することを予測しながら信号処理を行うことができる。
【００７１】
駆動装置は、予め設定された周波数データに従って、所定のタイミングで所定周波数のクロックにクロック信号を変化させることによって、正確に光ディスクを再生することができる。駆動装置が、記録タイミングと周波数ステップとの関係を知らずに再生すると、エラーが発生する。記録タイミングと周波数ステップとの関係を、駆動装置が知っていることが、セキュリティの確保の上で重要である。
【００７２】
エラーの発生しない条件で周波数変化量を小さく設定することで、先のジッタ検出で副次データ報再生を行なったと同様の処理をすることができる。つまり主データは正常に再生できるが、平行して副次データの再生を進めることになる。ここで得られる副次データを用いてセキュリティを向上することができる。
【００７３】
図１３は、本形態の駆動装置の概略を示す構成図である。図１３において、図４の符号と同一の符号が付された要素は、図４における対応要素と実質的に同一であり、説明を省略する。図１３において、１３０１は周波数データを記録するメモリ、１３０２は周波数データに基づいて制御信号を出力するクロックコントローラ、１３０３は複数のデータ記憶区間に対応したクロック周波数に関するデータである周波数データに基づいて、所定のタイミングで、所定期間、所定の周波数を有するクロックを生成・出力するクロック生成回路である。
【００７４】
１３０４は、周波数データを記録するメモリである。１３０５は周波数データに基づいて制御信号を出力するクロックコントローラである。１３０６は予め定められた周波数データに基づいて、所定のタイミングで、所定期間、所定の周波数を有するクロックを生成・出力するクロック生成回路、１３０７はクロックと再生信号に基づいて主データを検出する検出回路である。
【００７５】
図１４を参照して、駆動装置による再生処理の基本動作を説明する。光ディスクから、データが読み取られる（Ｓ１４−１）。予めメモリに記憶されている、もしくは、光ディスクに記録されている周波数データが取得され（Ｓ１４−２）、周波数データに基づきクロックが生成される（Ｓ１４−３）。生成されたクロックからクロックウィンドウが生成され（Ｓ１４−４）、クロックウィンドウと読み取られた再生信号に基づき、主データが検出される（Ｓ１４−５）。
【００７６】
具体的に再生動作を説明する。光ヘッド４０６によって光ディスクから読み取られたデータは、電気信号である再生信号として出力される。再生信号はＲＦアンプ４０７で増幅された後、クロック生成回路１３０６に入力される。クロックコントローラ１３０５は、メモリ１３０４から周波数データを取得し、周波数データに基づいて、制御信号をクロック生成回路１３０６に出力する。周波数データは、クロック周波数及びクロック周波数の変化タイミングに関する情報を有している。
【００７７】
クロック生成回路１３０６は、制御信号によって、クロックコントローラ１３０５から各区間に割りあてられる周波数に関する情報を受信し、その情報と再生信号とに基づいて、主データの再生クロックを生成・出力する。クロック生成回路１３０６は、予め、次の周波数及び周波数変化タイミングを知ることにより、現在のクロック周波数から次のクロック周波数へ同期がとれた状態で変移することができる。データ検出回路１３０７は、クロック信号からウィンドウパルスを生成する。データ検出回路１３０７は、さらに、そのウィンドウパルス内の再生信号の有無からデータ弁別を行い、主データの検出を行う。このデータから復調回路で生成主データから得られる。
【００７８】
図１５を参照して、データの記録における基本動作を説明する。メモリなどに予め記録された周波数データを取得し（Ｓ１５−１）、周波数データに基づき、順次、異なる周波数を有するクロックを生成・出力する（Ｓ１５−２）。出力されたクロックと、ＰＣなどから入力された主データとに基づいて、ライトパルスを生成・出力する（Ｓ１５−３）。出力されたライトパルスに基づき、光ディスクへ主データを記録する（Ｓ１５−４）。
【００７９】
具体的に説明する。メモリ１３０１は、予め周波数データを有している。クロックコントローラ１３０２は、メモリ１３０１から周波数データを取得し、周波数データに基づいて制御信号を出力する。クロック生成回路１３０３は、制御信号に基づいて、所定タイミングで周波数を変化させてクロック信号を出力する。周波数データは、クロックの周波数と、クロック周波数を変化させるタイミングと、に関する情報を有している。
【００８０】
クロック生成回路１３０５は、予め設定された周波数データに従って周波数が変化するクロック信号、を出力することができる。クロック生成回路１３０５は、例えば、生成された複数のクロック信号をスイッチによって選択することによって、異なる周波数を有するクロック信号を出力することができる。スイッチは、所定のタイミングで、所定のクロック信号を選択する。
【００８１】
本実施の形態によれば、所定のタイミング及び周波数に従って、データが記録媒体に記録されるので、記録媒体のセキュリティを向上させることができる。
【００８２】
【発明の効果】
本発明によれば、よりセキュアな記録媒体の駆動が可能となる。
【図面の簡単な説明】
【図１】本実施形態１における、光ディスクを説明する図である。
【図２】本実施形態１における、副次データの記録状態を示す図である。
【図３】本実施形態１における、光ディスク原盤露光装置の構成を示す図である。
【図４】本実施形態１における光ディスク駆動装置を説明する図である。
【図５】本実施形態１における副次データの再生方法を示すフローチャートである。
【図６】本実施形態１における副次データの記録方法を示すフローチャートである。
【図７】本実施形態１における副次データの記録のためのクロック生成回路を説明する図である。
【図８】本実施形態２における光ディスク駆動装置を説明する図である。
【図９】本実施形態２における副次データ再生のために使用されるクロック生成回路を説明する図である。
【図１０】本実施形態２における副次データの再生方法を示すフローチャートである。
【図１１】本実施形態２における副次データの記録方法を示すフローチャートである。
【図１２】本実施形態３における、主データの記録状態を説明する図である。
【図１３】本実施形態３における光ディスク駆動装置を説明する図である。
【図１４】本実施形態３における主データの再生方法を示すフローチャートである。
【図１５】本実施形態３における主データの記録方法を示すフローチャートである。
【符号の説明】
３０１　第１クロック生成器、３０２　第２クロック生成器、３０３　フォーマッタ、３０４　スイッチ、３０５　ＰＣ、３０６　レーザカッタ、３０７　基本クロック生成器、４０１　変調回路、４０２　クロック生成回路、４０３　クロックコントローラ、４０４　ライトパルス生成回路、４０５　レーザドライバ、４０６　光ヘッド、４０７　ＲＦアンプ、４０８　クロック生成回路、４０９　データ検出回路、４１０　副次データ検出回路、４１１　復調回路、４１２　光ディスク、７０１　ＰＬＬ回路、７０２　遅延回路、７０３　スイッチ、７０４周波数発信器、８０１　クロックコントローラ、８０２　クロック生成回路、８０３　クロック生成回路、８０４　データ検出回路、８０５　副次データ検出回路、８０６　復調回路、９０１　２値化回路、９０２　位相比較回路、９０３ループフィルタ、９０４　ＶＣＯ、１３０１　メモリ、１３０２　クロックコントローラ、１３０３　クロック生成回路、１３０４　メモリ、１３０５　クロックコントローラ、１３０６　クロック生成回路、１３０７　検出回路
【図１】
2004127417.tif 000003
【図２】
2004127417.tif 000004
【図３】
2004127417.tif 000005
【図４】
2004127417.tif 000006
【図５】
2004127417.tif 000007
【図６】
2004127417.tif 000008
【図７】
2004127417.tif 000009
【図８】
2004127417.tif 000010
【図９】
2004127417.tif 000011
【図１０】
2004127417.tif 000012
【図１１】
2004127417.tif 000013
【図１２】
2004127417.tif 000014
【図１３】
2004127417.tif 000015
【図１４】
2004127417.tif 000016
【図１５】
2004127417.tif 000017